【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
読影対象の１または複数の医用画像に対する読影レポートの電子ファイルを作成するための医用レポート作成装置において、
前記医用レポートの電子ファイルをオペレータの操作に応じて入力される情報に基づいて作成する情報処理手段と、
前記情報処理手段で作成される医用レポートの作成画面を表示する第１の表示手段と、
前記医用レポート作成時に参照する医用画像、過去の医用レポート、情報ファイルの少なくともいずれかのコンテンツを表示する第２の表示手段とを具備し、
前記情報処理手段は、
前記医用レポートの所見欄に文字列を入力する文字列入力手段と、
前記所見欄の文字列中にリンク対応範囲を特定する範囲特定手段と、
前記第２の表示手段に表示されるコンテンツの指定入力に応答して当該コンテンツのアドレス情報を取得し、このアドレス情報を前記リンク対応範囲の文字列情報にリンク付けするリンク付け処理手段と、
前記第１の表示手段に対して前記リンク対応範囲にリンク付けが施されていることを識別表示させる表示制御手段とを備えることを特徴とする医用レポート作成装置。
【請求項２】
前記リンク付け処理手段は、ドラッグ操作によって前記第２の表示手段で表示されるコンテンツを指定して、前記第１の表示手段で表示されるリンク対応範囲にドロップ操作することによって前記コンテンツのアドレス情報を前記リンク対応範囲の文字列情報にリンク付けすることを特徴とする請求項１記載の医用レポート作成装置。
【請求項３】
前記リンク付け処理手段は、前記コンテンツのアドレス情報を既にリンク付けされているリンク対応範囲にリンク付けする操作がなされたとき、前のリンク付けを解除し、新たなアドレス情報をリンク付けすることを特徴とする請求項１記載の医用レポート作成装置。
【請求項４】
前記リンク付け処理手段は、前記コンテンツのアドレス情報を既にリンク付けされているリンク対応範囲にリンク付けする操作がなされたとき、リンク付けを追加することを特徴とする請求項１記載の医用レポート作成装置。
【請求項５】
前記リンク付け処理手段は、前記コンテンツのアドレス情報を既にリンク付けされているリンク対応範囲にリンク付けする操作がなされたとき、前のリンク付けを解除するモードとリンク付けを追加するモードをオペレータに選択させるモード選択手段を備えることを特徴とする請求項１記載の医用レポート作成装置。
【請求項６】
さらに、前記コンテンツの表示を編集すると共に、編集処理を再現するためのパラメータ情報を生成する表示編集手段とを備え、
前記リンク付け処理手段は、前記表示編集手段で編集されたコンテンツが前記リンク付けコンテンツとして指摘されたとき、前記アドレス情報と共に前記パラメータ情報を付加してリンク付けすることを特徴とする請求項１記載の医用レポート作成装置。
【請求項７】
前記リンク付け処理手段は、複数のコンテンツが同時に選択された状態で前記リンク対応範囲の一つにリンク付け指定されたとき、選択されているコンテンツを全てリンク付けすることを特徴とする請求項１記載の医用レポート作成装置。
【請求項８】
前記情報処理手段は、さらに、前記医用レポートにリンク情報欄を形成し、このリンク情報欄に前記リンク付けされたコンテンツの内容を表す画像を作成し貼り付けるリンク情報欄作成手段を備えることを特徴とする請求項１記載の医用レポート作成装置。
【請求項９】
前記リンク情報欄作成手段は、前記リンク付けされたコンテンツが複数ある場合に、前記リンク情報欄の表示順序について前記コンテンツの作成日付順とするモードとリンク指定順とするモードのいずれかをオペレータに選択させる表示順序選択手段を備えることを特徴とする請求項８記載の医用レポート作成装置。
【請求項１０】
前記範囲特定手段は、リンク先の指定前に前記範囲を特定しておくことを特徴とする請求項１記載の医用レポート作成装置。
【請求項１１】
前記範囲特定手段は、前記ドラッグ操作されたコンテンツのアドレス情報がドロップ操作によって医用レポート中の任意の文字列に重ねられたことを検出し、検出文字列を含み予め決められた範囲を自動的にリンク対応範囲とすることを特徴とする請求項２記載の医用レポート作成装置。
【請求項１２】
前記範囲特定手段は、前記リンク対応範囲の自動設定後に手動で範囲を調整する手段を備えることを特徴とする請求項１１記載の医用レポート作成装置。
【請求項１３】
所見欄の文字列の少なくとも一部にコンテンツのアドレス情報がリンク付けされている医用レポートの電子ファイルを参照する医用レポート参照装置であって、
前記医用レポートを表示する際に前記所見欄の文字列のリンク対応範囲を識別表示するレポート表示手段と、
前記リンク対応範囲の指定入力操作に応じて前記コンテンツのアドレス情報を読み取るアドレス情報取得手段と、
前記アドレス情報に基づいて前記コンテンツを取得し表示するコンテンツ表示手段とを具備することを特徴とする医用レポート参照装置。
【請求項１４】
所見欄の文字列の少なくとも一部にコンテンツのアドレス情報及び当該コンテンツの表示パラメータ情報がリンク付けされている医用レポートを参照する医用レポート参照装置であって、
前記医用レポートを表示する際に前記所見欄の文字列のリンク対応範囲を識別表示するレポート表示手段と、
前記リンク対応範囲の指定入力操作に応じて前記リンク付けされたコンテンツのアドレス情報及び前記パラメータ情報を読み取る情報取得手段と、
前記アドレス情報に基づいて前記コンテンツを取得し、当該コンテンツを前記パラメータ情報に基づいて編集して表示するコンテンツ表示手段とを具備することを特徴とする医用レポート参照装置。
【請求項１５】
読影対象の１または複数の医用画像に対する読影レポートの電子ファイルを作成するための医用レポート作成方法であって、
前記電子ファイルに基づいて医用レポートの作成画面を表示させると共に前記医用レポート作成時に参照する医用画像、過去の医用レポート、情報ファイルの少なくともいずれかのコンテンツを表示させる表示ステップと、
前記オペレータの操作によって入力される文字列を前記医用レポートの所見欄に挿入する文字列入力ステップと、
前記所見欄の文字列中にリンク対応範囲を特定する範囲特定ステップと、
前記表示中のコンテンツの指定入力に応答して当該コンテンツのアドレス情報を取得し、このアドレス情報を前記リンク対応範囲の文字列情報にリンク付けするリンク付けステップと、
前記リンク対応範囲にリンク付けが施されていることを識別表示させる表示制御ステップとを備えることを特徴とする医用レポート作成方法。
【請求項１６】
読影対象の１または複数の医用画像に対する読影レポートの電子ファイルを作成する処理をコンピュータに実行させるための医用レポート作成プログラムであって、
前記電子ファイルに基づいて医用レポートの作成画面を表示させると共に前記医用レポート作成時に参照する医用画像、過去の医用レポート、情報ファイルの少なくともいずれかのコンテンツを表示させる表示ステップと、
前記オペレータの操作によって入力される文字列を前記医用レポートの所見欄に挿入する文字列入力ステップと、
前記所見欄の文字列中にリンク対応範囲を特定する範囲特定ステップと、
前記表示中のコンテンツの指定入力に応答して当該コンテンツのアドレス情報を取得し、このアドレス情報を前記リンク対応範囲の文字列情報にリンク付けするリンク付けステップと、
前記リンク対応範囲にリンク付けが施されていることを識別表示させる表示制御ステップとを備えることを特徴とする医用レポート作成プログラム。
【請求項１７】
前記リンク情報欄作成手段は、前記リンク付けされたコンテンツが複数ある場合に、前記リンク情報欄の表示順序についてリンク指定順とすることを特徴とする請求項８記載の医用レポート作成装置。
【請求項１８】
前記リンク情報欄作成手段は、前記リンク付けされたコンテンツが複数ある場合に、前記リンク情報欄の表示順序について前記コンテンツの作成日付順とすることを特徴とする請求項８記載の医用レポート作成装置。
【請求項１９】
前記リンク情報欄に貼り付けられた画像の指定入力に応じて対応するコンテンツを表示することを特徴とする請求項８記載の医用レポート作成装置。
【請求項２０】
前記リンク情報欄に貼り付けられた画像の指定入力に応じてリンク先の前記所見欄の文字列を識別表示させることを特徴とする請求項８記載の医用レポート作成装置。
【請求項２１】
前記文字列のリンク対応範囲にカーソルを合わせたときに、リンク付けされているコンテンツの縮小画像を表示することを特徴とする請求項１記載の医用レポート作成装置。
【手続補正２】
【補正対象書類名】明細書
【補正対象項目名】０００８
【補正方法】変更
【補正の内容】
【０００８】
上記の課題を解決するために、本発明に係る医用レポート作成装置は、読影対象の１または複数の医用画像に対する読影レポートの電子ファイルを作成するための装置であり、前記医用レポートの電子ファイルをオペレータの操作に応じて入力される情報に基づいて作成する情報処理手段と、前記情報処理手段で作成される医用レポートの作成画面を表示する第１の表示手段と、前記医用レポート作成時に参照する医用画像、過去の医用レポート、情報ファイルの少なくともいずれかのコンテンツを表示する第２の表示手段とを具備しており、特に、前記情報処理手段は、前記医用レポートの所見欄に文字列を入力する文字列入力手段と、前記所見欄の文字列中にリンク対応範囲を特定する範囲特定手段と、前記第２の表示手段に表示されるコンテンツの指定入力に応答して当該コンテンツのアドレス情報を取得し、このアドレス情報を前記リンク対応範囲の文字列情報にリンク付けするリンク付け処理手段と、前記第１の表示手段に対して前記リンク対応範囲にリンク付けが施されていることを識別表示させる表示制御手段とを備えることを特徴とする。
【手続補正３】
【補正対象書類名】明細書
【補正対象項目名】０００９
【補正方法】変更
【補正の内容】
【０００９】
また、本発明に係る医用レポート参照装置は、所見欄の文字列の少なくとも一部にコンテンツのアドレス情報がリンク付けされている医用レポートを表示する際に、前記所見欄の文字列のリンク対応範囲を識別表示するレポート表示手段と、前記リンク対応範囲の指定入力操作に応じて前記コンテンツのアドレス情報を読み取るアドレス情報取得手段と、前記アドレス情報に基づいて前記コンテンツを取得し表示するコンテンツ表示手段とを具備することを特徴とする。
【手続補正４】
【補正対象書類名】明細書
【補正対象項目名】００１０
【補正方法】変更
【補正の内容】
【００１０】
また、本発明に係る医用レポート作成方法及びそのプログラムは、読影対象の１または複数の医用画像に対する医用レポートの電子ファイルを作成するものであり、前記電子ファイルに基づいて医用レポートの作成画面を表示させると共に前記医用レポート作成時に参照する医療画像、過去の医用レポート、情報ファイルの少なくともいずれかのコンテンツを表示させる表示ステップと、前記オペレータの操作によって入力される文字列を前記所見レポートの所見欄に挿入する文字列入力ステップと、前記所見欄の文字列中にリンク対応範囲を特定する範囲特定ステップと、前記表示中のコンテンツの指定入力に応答して当該コンテンツのアドレス情報を取得し、このアドレス情報を前記リンク対応範囲の文字列情報にリンク付けするリンク付けステップと、前記リンク対応範囲にリンク付けが施されていることを識別表示させる表示制御ステップとを備えることを特徴とする。